(57)【要約】      （修正有）【課題】電源起動時などに安定して動作する表示用の駆動装置を実現する。【解決手段】ゲート電位に応じた大きさの電流を素子に駆動電流として流す駆動トランジスタと、素子と駆動トランジスタ間における駆動電流の電流経路に設けられ、駆動電流の流れを制御する第１のスイッチと、駆動トランジスタのゲート電位を設定する第１の状態と、設定されたゲート電位を保持する第２の状態とを切り替える第２のスイッチと、駆動トランジスタを駆動するための電源からの電位の供給を開始した後、素子を通常の動作のために駆動し始めるまでの期間における所定期間の間、駆動電流の流れを抑制状態に制御する信号を第１のスイッチに供給する回路と、所定期間内に、第２のスイッチを第１の状態にするための信号を第２のスイッチに供給する回路と、所定期間内において、第２のスイッチが第１の状態になっている間、ゲート電位を設定するための信号を遮断する回路とを有する。【選択図】図１
2005189829.tif 000002
【特許請求の範囲】
【請求項１】
素子を駆動する駆動装置であって、
ゲート電位に応じた大きさの電流を前記素子に駆動電流として流す駆動トランジスタと、
前記素子と前記駆動トランジスタ間における前記駆動電流の電流経路に設けられ、前記駆動電流の流れを制御する第１のスイッチと、
前記駆動トランジスタのゲート電位を設定する第１の状態と、設定された前記ゲート電位を保持する第２の状態とを切り替える第２のスイッチと、
前記駆動トランジスタを駆動するための電源からの電位の供給を開始した後、前記素子を通常の動作のために駆動し始めるまでの期間における所定期間の間、前記駆動電流の流れを抑制する抑制状態に制御する信号を前記第１のスイッチに供給する回路と、
前記所定期間内に、前記第２のスイッチを前記第１の状態にするための信号を前記第２のスイッチに供給する回路と、
前記所定期間内において、前記第２のスイッチが前記第１の状態になっている間、前記ゲート電位を設定するための信号を遮断する回路と、を有する駆動装置。
【請求項２】
マトリクス状に配置された複数の駆動回路を有しており、各駆動回路が前記駆動トランジスタと前記第１のスイッチとを有する請求項１に記載の駆動装置。
【請求項３】
マトリクス状に配置された複数の駆動回路を有しており、各駆動回路が前記駆動トランジスタと前記第２のスイッチとを有する請求項１もしくは２に記載の駆動装置。
【請求項４】
前記ゲート電位を設定するための信号は、前記素子の所望の駆動状態に応じた電流値を有する電流信号である請求項１乃至３のいずれかに記載の駆動装置。
【請求項５】
前記駆動トランジスタ、前記第１のスイッチ、前記第２のスイッチ、前記信号を前記第１のスイッチに供給する回路、及び前記信号を前記第２のスイッチに供給する回路は、共通の絶縁性基板上に配置されている請求項１乃至４のいずれかに記載の駆動装置。
【請求項６】
素子を駆動する駆動装置であって、
ゲート電位に応じた大きさの電流を前記素子に駆動電流として流す駆動トランジスタと、
前記素子と前記駆動トランジスタ間における前記駆動電流の電流経路に設けられ、前記駆動電流の流れを制御する第１のスイッチと、
前記駆動トランジスタのゲート電位を設定する第１の状態と、設定されたゲート電位を保持する第２の状態とを切り替える第２のスイッチと、
前記駆動トランジスタを駆動する電源出力の供給を開始した後、前記素子を通常の動作のために駆動し始めるまでの期間における所定期間の間、前記駆動電流の流れを抑制する抑制状態に制御する信号を前記第１のスイッチに供給する回路と、
前記所定期間内に、前記第２のスイッチを前記第１の状態にするための信号を前記第２のスイッチに供給する回路と、
前記所定期間内において、前記第２のスイッチが前記第１の状態になっている間、前記素子が低レベルの駆動状態になるような前記駆動電流を流す電位にゲート電位を設定する信号を、ゲート電位を設定する前記信号として供給する回路と、を有する駆動装置。
【請求項７】
素子を駆動する駆動装置であって、
複数の素子それぞれを駆動するためにマトリクス状に配置された複数の駆動回路であって、それぞれが、前記素子に駆動電流を流す駆動トランジスタと、前記素子と前記駆動トランジスタ間における前記駆動電流の電流経路に設けられており前記駆動電流の流れを制御するスイッチと、を有する複数の駆動回路と、
マトリクス状に配置された前記複数の駆動回路が一部毎にそれぞれに接続される複数の配線と、
前記駆動電流の流れを抑制する状態に前記スイッチを制御する信号をマトリクス状に配置された複数の駆動回路それぞれの前記スイッチに前記複数の配線を介して同時に供給する回路と、を有する駆動装置。
【請求項８】
マトリクス状に配置された前記複数の駆動回路が一部ごとにそれぞれ接続される複数のデータ線を有しており、
選択された前記駆動回路において前記駆動トランジスタのゲート電位を前記データ線から供給される変調信号に応じて設定している期間内に、前記駆動トランジスタと前記素子間の電流経路における駆動電流の流れを抑制する状態にする制御信号を選択された前記駆動回路に供給する配線を前記複数の配線が兼ねる請求項７に記載の駆動装置。
【請求項９】
素子を駆動する駆動装置であって、
複数の素子それぞれを駆動するためにマトリクス状に配置された複数の駆動回路であって、それぞれが、前記素子に駆動電流を流す駆動トランジスタと、前記駆動トランジスタのゲート電位を前記駆動トランジスタが所定の前記駆動電流を流せる電位に設定する第１の状態と設定された前記ゲート電位を保持する第２の状態とを切り替えるスイッチと、を有する複数の駆動回路と、
マトリクス状に配置された前記複数の駆動回路が一部毎にそれぞれに接続される複数の配線と、
前記第１の状態に前記スイッチを制御する信号をマトリクス状に配置された複数の駆動回路それぞれの前記スイッチに前記複数の配線を介して同時に供給する回路と、を有する駆動装置。
【請求項１０】
マトリクス状に配置された前記複数の駆動回路が一部ごとにそれぞれ接続される複数のデータ線と、
前記信号をマトリクス状に配置された複数の駆動回路のそれぞれの前記スイッチに前記複数の配線を介して同時に供給しているときに、前記複数のデータ線それぞれから複数の前記駆動回路への変調信号供給経路を遮断する回路と、を更に有する請求項９に記載の駆動装置。
【請求項１１】
マトリクス状に配置された前記複数の駆動回路が一部ごとにそれぞれ接続される複数のデータ線を有しており、
前記複数の配線は、走査駆動時に、前記駆動トランジスタのゲート電位を前記データ線から供給される変調信号に応じて設定する駆動回路を選択するための走査線を兼ねる請求項９に記載の駆動装置。
【請求項１２】
表示素子を駆動する駆動装置であって、
複数の表示素子それぞれを駆動するためにマトリクス状に配置された複数の駆動回路であって、それぞれが、前記表示素子に駆動電流を流す駆動トランジスタと、前記表示素子と前記駆動トランジスタ間における前記駆動電流の電流経路に設けられており前記駆動電流の流れを制御する第１のスイッチと、を有する複数の駆動回路と、
前記駆動トランジスタを駆動するための電源からの電位の供給を開始した後、前記複数の表示素子を通常の表示動作のために駆動し始めるまでの間の所定期間において、前記駆動電流の流れを抑制する抑制状態に制御する信号を前記第１のスイッチに供給する回路と、を有する駆動装置。
【請求項１３】
表示装置であって、
請求項１に記載の駆動装置と、
前記駆動回路で駆動される前記素子と、を有しており、
前記素子は前記駆動電流が供給されることによって表示動作を行う表示素子である表示装置。
【請求項１４】
表示装置であって、
請求項６に記載の駆動装置と、
前記駆動回路で駆動される前記素子と、を有しており、
前記素子は前記駆動電流が供給されることによって表示動作を行う表示素子である表示装置。
【請求項１５】
表示装置であって、
請求項７に記載の駆動装置と、
前記駆動回路で駆動される前記素子と、を有しており、
前記素子は前記駆動電流が供給されることによって表示動作を行う表示素子である表示装置。
【請求項１６】
表示装置であって、
請求項９に記載の駆動装置と、
前記駆動回路で駆動される前記素子と、を有しており、
前記素子は前記駆動電流が供給されることによって表示動作を行う表示素子である表示装置。
【請求項１７】
表示装置であって、
請求項１２に記載の駆動装置と、
前記駆動回路で駆動される前記表示素子と、を有する表示装置。
【請求項１８】
記録装置であって、
記録媒体に画像情報を記録する記録デバイスと、
前記記録媒体に記録された画像情報に基づく画像を表示する請求項１３に記載の表示装置と、
を有する記録装置。
【請求項１９】
記録装置であって、
記録媒体に画像情報を記録する記録デバイスと、
前記記録媒体に記録された画像情報に基づく画像を表示する請求項１４に記載の表示装置と、
を有する記録装置。
【請求項２０】
記録装置であって、
記録媒体に画像情報を記録する記録デバイスと、
前記記録媒体に記録された画像情報に基づく画像を表示する請求項１５に記載の表示装置と、
を有する記録装置。
【請求項２１】
記録装置であって、
記録媒体に画像情報を記録する記録デバイスと、
前記記録媒体に記録された画像情報に基づく画像を表示する請求項１６に記載の表示装置と、
を有する記録装置。
【請求項２２】
記録装置であって、
記録媒体に画像情報を記録する記録デバイスと、
前記記録媒体に記録された画像情報に基づく画像を表示する請求項１７に記載の表示装置と、
を有する記録装置。
【発明の詳細な説明】
【技術分野】
【０００１】
本発明は、駆動装置に関する。
【背景技術】
【０００２】
ＥＬ素子や液晶素子などを用いて構成されたフラットな表示装置においては、複数行、複数列に配置した画素回路を、行毎に走査線に、列毎にデータ線に共通に接続し、行走査回路より各走査線を選択すると同時に、列走査回路より各データ線に所定の表示信号を印加して、選択された該当行の画素に所定の表示を行わせるマトリクス駆動が一般的である。
【０００３】
例えば、特許文献１には、アクティブマトリクス駆動によるＥＬ表示装置が開示されている。
【０００４】
また特許文献２は、選択的又は同時に駆動すべき複数の表示素子（ＬＥＤ）と、この表示素子に表示させるべき表示データを記憶する記憶手段と、電源の投入時、前記記憶手段の前記表示データが確定するまでの一定時間、表示禁止信号を発生する記憶制御手段と、この記憶制御手段が前記表示禁止信号を発生しているとき、前記表示素子に対する駆動電流の供給を遮断する表示駆動制御手段とを備えた表示装置を開示する。
【０００５】
また電子放出素子を表示素子として用いる表示装置が知られている。
【０００６】
また電子放出素子から放出される電子線によって描画を行う描画装置が知られている。
【０００７】
これらの素子を安定に駆動できる駆動回路が望まれていた。
【０００８】
【特許文献１】米国特許第６３７３４５４号明細書
【特許文献２】特開平０５−１５８４３３号公報
【発明の開示】
【発明が解決しようとする課題】
【０００９】
本願に係わる発明の目的の一つとして、安定した動作が可能な駆動回路を実現すること、を挙げることができる。
【課題を解決するための手段】
【００１０】
本願に係わる駆動回路の発明の一つは以下のように構成される。
【００１１】
素子を駆動する駆動装置であって、
ゲート電位に応じた大きさの電流を前記素子に駆動電流として流す駆動トランジスタと、
前記素子と前記駆動トランジスタ間における前記駆動電流の電流経路に設けられ、前記駆動電流の流れを制御する第１のスイッチと、
前記駆動トランジスタのゲート電位を設定する第１の状態と、設定された前記ゲート電位を保持する第２の状態とを切り替える第２のスイッチと、
前記駆動トランジスタを駆動するための電源からの電位の供給を開始した後、前記素子を通常の動作のために駆動し始めるまでの期間における所定期間の間、前記駆動電流の流れを抑制する抑制状態に制御する信号を前記第１のスイッチに供給する回路と、
前記所定期間内に、前記第２のスイッチを前記第１の状態にするための信号を前記第２のスイッチに供給する回路と、
前記所定期間内において、前記第２のスイッチが前記第１の状態になっている間、前記ゲート電位を設定するための信号を遮断する回路と、を有する駆動装置。
【００１２】
ここで、この駆動装置は、マトリクス状に配置された複数の駆動回路を有しており、各駆動回路が前記駆動トランジスタと前記第１のスイッチとを有する構成を好適に採用できる。またこの駆動装置は、マトリクス状に配置された複数の駆動回路を有しており、各駆動回路が前記駆動トランジスタと前記第２のスイッチとを有する構成を好適に採用できる。またこの駆動装置において、前記ゲート電位を設定するための信号は、前記素子の所望の駆動状態に応じた電流値を有する電流信号である構成を好適に採用できる。またこの駆動装置において、前記駆動トランジスタ、前記第１のスイッチ、前記第２のスイッチ、前記信号を前記第１のスイッチに供給する回路、及び前記信号を前記第２のスイッチに供給する回路は、共通の絶縁性基板上に配置されている構成を好適に採用できる。なお、前記電源から供給される電位は、前記信号を前記第１のスイッチに供給する回路や、前記信号を前記第２のスイッチに供給する回路にも供給される構成を好適に採用できる。
【００１３】
また本願に係わる駆動装置の発明の一つは以下のように構成される。
【００１４】
素子を駆動する駆動装置であって、
ゲート電位に応じた大きさの電流を前記素子に駆動電流として流す駆動トランジスタと、
前記素子と前記駆動トランジスタ間における前記駆動電流の電流経路に設けられ、前記駆動電流の流れを制御する第１のスイッチと、
前記駆動トランジスタのゲート電位を設定する第１の状態と、設定されたゲート電位を保持する第２の状態とを切り替える第２のスイッチと、
前記駆動トランジスタを駆動する電源出力の供給を開始した後、前記素子を通常の動作のために駆動し始めるまでの期間における所定期間の間、前記駆動電流の流れを抑制する抑制状態に制御する信号を前記第１のスイッチに供給する回路と、
前記所定期間内に、前記第２のスイッチを前記第１の状態にするための信号を前記第２のスイッチに供給する回路と、
前記所定期間内において、前記第２のスイッチが前記第１の状態になっている間、前記素子が低レベルの駆動状態になるような前記駆動電流を流す電位にゲート電位を設定する信号を、ゲート電位を設定する前記信号として供給する回路とを有する駆動装置。
【００１５】
また本願に係わる駆動装置の発明の一つは以下のように構成される。
【００１６】
素子を駆動する駆動装置であって、
複数の素子それぞれを駆動するためにマトリクス状に配置された複数の駆動回路であって、それぞれが、前記素子に駆動電流を流す駆動トランジスタと、前記素子と前記駆動トランジスタ間における前記駆動電流の電流経路に設けられており前記駆動電流の流れを制御するスイッチと、を有する複数の駆動回路；
マトリクス状に配置された前記複数の駆動回路が一部毎にそれぞれに接続される複数の配線と、
前記駆動電流の流れを抑制する状態に前記スイッチを制御する信号をマトリクス状に配置された複数の駆動回路それぞれの前記スイッチに前記複数の配線を介して同時に供給する回路と、を有する駆動装置。
【００１７】
この駆動装置において、マトリクス状に配置された前記複数の駆動回路が一部ごとにそれぞれ接続される複数のデータ線を有しており、
選択された前記駆動回路において前記駆動トランジスタのゲート電位を前記データ線から供給される変調信号に応じて設定している期間内に、前記駆動トランジスタと前記素子間の電流経路における駆動電流の流れを抑制する状態にする制御信号を選択された前記駆動回路に供給する配線を前記複数の配線が兼ねる構成を好適に採用できる。
【００１８】
すなわち、前記複数の配線はマトリクス状に配置された複数の駆動回路を結線する走査線として用いることができる。すなわち、ある時点（具体的には電源起動時）では、その走査線を用いてマトリクス状に配置された複数の駆動回路のそれぞれに、駆動トランジスタと素子との間の電流経路における駆動電流の流れを抑制する信号を同時に送信する。一方、表示時などの通常の走査駆動時には、複数の走査線から１本乃至数本の走査線が走査的に選択され、データ線からの信号の書き込みが選択された走査線に接続される駆動回路毎に行われる。この書き込み動作時には書き込み中の駆動回路によって駆動される素子は非駆動状態にあることが望ましいので、書き込み時には駆動トランジスタと素子との間の電流経路に流れる駆動電流が抑制された状態になると好適である。この場合、選択されていない走査線に接続される駆動回路においては、素子の駆動が実行されており、すなわち、駆動トランジスタと素子との間の電流経路には駆動電流が流れている。従って、通常の走査駆動時には、データの書き込みが行われる（駆動トランジスタのゲート電位が設定される）駆動回路に対して選択的に駆動トランジスタと素子間の電流経路における駆動電流の流れを抑制する制御信号が与えられる。以下で示す実施形態では、駆動トランジスタと素子との間の電流経路を駆動電流が流れるのを抑制する信号を、前記複数の配線を介してマトリクス状に配置された複数の駆動回路に同時に供給する場合と、通常の走査駆動時に走査的に供給する場合とで、同じ配線を用いることで、簡便な配線構成が実現できている。
【００１９】
また本願に係わる駆動装置の発明の一つは以下のように構成される。
【００２０】
素子を駆動する駆動装置であって、
複数の素子それぞれを駆動するためにマトリクス状に配置された複数の駆動回路であって、それぞれが、前記素子に駆動電流を流す駆動トランジスタと、前記駆動トランジスタのゲート電位を前記駆動トランジスタが所定の前記駆動電流を流せる電位に設定する第１の状態と設定された前記ゲート電位を保持する第２の状態とを切り替えるスイッチと、を有する複数の駆動回路と、
マトリクス状に配置された前記複数の駆動回路が一部毎にそれぞれに接続される複数の配線と、
前記第１の状態に前記スイッチを制御する信号をマトリクス状に配置された複数の駆動回路それぞれの前記スイッチに前記複数の配線を介して同時に供給する回路と、を有する駆動装置。
【００２１】
この駆動装置において、マトリクス状に配置された前記複数の駆動回路が一部ごとにそれぞれ接続される複数のデータ線と、
前記信号をマトリクス状に配置された複数の駆動回路のそれぞれの前記スイッチに前記複数の配線を介して同時に供給しているときに、前記複数のデータ線それぞれから複数の前記駆動回路への変調信号供給経路を遮断する回路と、を更に有する構成を好適に採用できる。
【００２２】
またこの駆動装置において、マトリクス状に配置された前記複数の駆動回路が一部ごとにそれぞれ接続される複数のデータ線を有しており、
前記複数の配線は、走査駆動時に、前記駆動トランジスタのゲート電位を前記データ線から供給される変調信号に応じて設定する駆動回路を選択するための走査線を兼ねる構成を好適に採用できる。
【００２３】
また本願に係わる駆動装置の発明の一つは以下のように構成される。
【００２４】
表示素子を駆動する駆動装置であって、
複数の表示素子それぞれを駆動するためにマトリクス状に配置された複数の駆動回路であって、それぞれが、前記表示素子に駆動電流を流す駆動トランジスタと、前記表示素子と前記駆動トランジスタ間における前記駆動電流の電流経路に設けられており前記駆動電流の流れを制御する第１のスイッチと、を有する複数の駆動回路と、
前記駆動トランジスタを駆動するための電源からの電位の供給を開始した後、前記複数の表示素子を通常の表示動作のために駆動し始めるまでの間の所定期間において、前記駆動電流の流れを抑制する抑制状態に制御する信号を前記第１のスイッチに供給する回路と、を有する駆動装置。
【００２５】
なお、本願においてマトリクス状に配置された素子、もしくは駆動回路、とは、複数の互いに平行な直線上及びそれと直交する複数の直線上に各素子もしくは各駆動回路が厳密に並んでいる構成に限るものではなく、マトリクス駆動（選択対象を一部ごとに選択し、選択した素子もしくは駆動回路に対して対応する変調信号を供給する駆動）できるような配置状態のことを言う。すなわち、複数の駆動回路は論理的にマトリックスを構成できていればよく、物理的な配置状態としてはデルタ配置など、複数の互いに平行な直線上及びそれと直交する複数の直線上に各駆動回路が厳密に並ばない構成も採用することができる。
【００２６】
また本願は表示装置の発明を含んでおり、具体的には、上述の駆動装置と表示素子としての上述の素子とを有する表示装置として構成される。なお、表示素子としては、有機ＥＬ素子などのＥＬ素子、ＬＥＤ素子、電界放出素子などの電子放出素子（電子放出素子を表示素子として用いる場合は、放出される電子によって発光する蛍光体などの発光体を組み合わせて用いるとよい）、を用いることができる。
【００２７】
また本願は記録装置の発明を含んでおり、具体的には、記録媒体に画像情報を記録する記録デバイスと、記録媒体に記録された画像情報に基づく画像を表示する上述の表示装置とによって記録装置が構成される。
【００２８】
具体的には、本願に記載の表示装置は、デジタルカメラ，ビデオレコーダ，携帯電話，ＰＤＡといった携帯型情報機器に好適に用いることができる。これらの情報機器は固定的に内蔵された半導体メモリやハードディスクなどの記録媒体や、取替え可能な半導体メモリやハードディスクなどの記録媒体に画像情報を記録できるようになっている。この画像情報に基づく画像を表示する表示装置として本願に記載の表示装置を好適に用いることができる。
【発明の効果】
【００２９】
本願発明に係わる駆動装置によると、信頼性の高い駆動を実現できる。
【発明を実施するための最良の形態】
【００３０】
以下では駆動する対象の素子として表示素子、特にはＥＬ素子を採用した表示装置の具体的な構成例を示す。
【００３１】
図４に、マトリクス駆動のＥＬ表示装置の一例のブロック図を示す。なお図４は本実施形態で考慮した課題を説明するために表示装置の基本的な構成を示している図であり、本実施形態の表示装置の具体的な例は図１に示している。
【００３２】
図中、１は外部制御回路、２は表示パネル、３，８，１２はレベル変換回路、４は列シフトレジスタ、５は列制御回路、６は画像表示部、７は行シフトレジスタ、１０は列駆動回路、１１は画素回路、１４は行駆動回路、１５は走査線、１６はデータ線である。
【００３３】
ＥＬ表示装置は、例えば、外部制御回路１と表示パネル２とを備え、表示パネル２は画像表示部６と列駆動回路１０と行駆動回路７とを備えている。画像表示部６においては、複数行、複数列（図４においては、ｍ行×ｎ列）に画素回路１１が配置され、各行の画素回路１１が共通に走査線１５に接続され、各列の画素回路１１が共通にデータ線１６に接続されている。
【００３４】
上記構成において、行シフトレジスタ７には、外部制御回路１よりタイミング信号ＬＫ１，クロック信号ＬＫ２，スタート信号ＬＳが入力され、各走査線１５に走査信号Ｐ１（ｒ），Ｐ２（ｒ）（ｒ＝１〜ｍ）が出力される。また、列シフトレジスタ４は、外部制御回路１より入力されたクロック信号Ｋ及びスタート信号ＳＰにより、列制御回路５にサンプリング信号ｓｐ（ｑ）（ｑ＝１〜ｎ）を出力し、サンプリング信号ｓｐ（ｑ）の入力により、列制御回路５は、外部制御回路１より入力された映像信号Ｖｉｄｅｏより該当画素の映像信号をサンプリングし、電流信号ｉ（ｄａｔａ）をデータ線１６に出力する。
【００３５】
図５に、画素回路１１の構成例を示す。図中、５１はＥＬ素子、Ｍ１〜Ｍ４はトランジスタ、Ｃ１は容量、ＶＤＤは電源である。画素回路は駆動対象素子であるＥＬ素子５１と、該素子を駆動する駆動回路から構成される。駆動回路は、駆動トランジスタＭ１、駆動トランジスタのゲート電位を保持する容量Ｃ１、駆動トランジスタＭ１と素子５１との間の電流経路における駆動電流の流れを制御するスイッチであるトランジスタＭ４、駆動トランジスタＭ１のゲート電位を設定する状態と、設定されたゲート電位を保持する状態とを切り替えるスイッチであるトランジスタＭ２から構成される。またこの実施形態では、駆動トランジスタＭ１のゲート電位設定時に変調信号を駆動トランジスタＭ１に流し、ゲート電位設定後は、変調信号が駆動トランジスタＭ１に入力されないようにするためのスイッチであるトランジスタＭ３も駆動回路内に配置している。図６のタイムチャートにより、図５の画素回路１１の動作を説明する。尚、以下の説明において、トランジスタのソース、ドレイン、ゲートをそれぞれ、／Ｓ、／Ｄ、／Ｇと記載する。本発明では、トランジスタとして、単結晶半導体を用いた通常のトランジスタを用いることもできるが、多結晶シリコンや非晶質シリコンのような非単結晶半導体を用いた薄膜トランジスタ（ＴＦＴ）を特に好適に用いることができる。
【００３６】
時刻ｔ０以前に、該当ｒ行の走査線１５に入力される走査信号Ｐ１（ｒ）は「Ｌ」、Ｐ２（ｒ）は「Ｈ」である。そのため、Ｍ２及びＭ３はともにオフ、Ｍ４がオンで、容量Ｃ１及びＭ１のゲート容量に保持された充電電圧によって決定されたＭ１／Ｇ電圧によってＥＬ素子５１に電流が注入され、該ＥＬ素子５１は発光している。時刻ｔ０において、該当ｒ行の走査信号Ｐ１（ｒ）が「Ｈ」に、Ｐ２（ｒ）が「Ｌ」に変化するとともに、ｒ行目の電流信号ｉ（ｒ）が決定する。Ｍ２，Ｍ３がともにオンし、Ｍ４がオフするため、当該画素のＥＬ素子５１への電流注入が停止し、該ＥＬ素子５１は消灯する。同時に、Ｍ１，Ｍ２にはＭ３を介して電流信号ｉ（ｒ）が供給されるため、これによりＭ１／Ｇ電圧が設定され、容量Ｃ１及びＭ１のゲート容量が充電される。電流信号ｉ（ｒ）が確定している時刻ｔ１において、Ｐ２（ｒ）は再び「Ｈ」に変化し、Ｍ２はオフとなってＭ１／Ｇ電圧の設定動作が終了し、電流信号ｉ（ｍ）の保持動作に移行する。時刻ｔ２において、Ｐ１（ｒ）は「Ｌ」に変化し、Ｍ１への電流信号ｉ（ｄａｔａ）の供給を停止するとともに、Ｍ４がオンしてＭ１／Ｇ電圧で設定されたＭ１のドレイン電流がＥＬ素子５１に注入され、電流信号ｉ（ｒ）のレベルに応じて発光する。
【００３７】
図７に図４の画素回路１１の他の構成例を示す。図中、Ｍ５はＴＦＴであり、他の符号は図４，図５と同じ部材を示す。図６のタイムチャートにより、図５の画素回路の動作を説明する。
【００３８】
時刻ｔ０以前において、該当ｒ行の走査信号Ｐ１（ｒ）は「Ｌ」、Ｐ２（ｒ）は「Ｈ」であるので、Ｍ３，Ｍ４はともにオフであり、Ｍ５がオンで容量Ｃ１及びＭ１，Ｍ２のゲート容量に保持された充電電圧によって決定されたＭ１／Ｇ電圧によって、ＥＬ素子５１には電流が注入され、これに応じてＥＬ素子５１は発光している。時刻ｔ０において、Ｐ１（ｒ）が「Ｈ」に、Ｐ２（ｒ）が「Ｌ」に変化するとともに、ｒ行目の電流信号ｉ（ｒ）が確定する。これにより、Ｍ３，Ｍ４がともにオン、Ｍ５がオフになり、Ｍ２にはＭ４を介して電流信号ｉ（ｒ）が供給され、これに応じてＭ２／Ｇ電圧が設定され、容量Ｃ１及びＭ１，Ｍ２のゲート容量が充電され、ＥＬ素子５１への電流注入が停止する。電流信号ｉ（ｒ）が確定している時刻ｔ１において、Ｐ２（ｒ）が「Ｈ」に変化してＭ３がオフとなり、Ｍ１／Ｇ電圧の設定動作が終了して保持動作に移行する。時刻ｔ２においてＰ１（ｒ）が「Ｌ」に変化し、Ｍ２への電流信号ｉ（ｄａｔａ）の供給が停止するが、電流信号ｉ（ｒ）によって設定されたＭ１／Ｇ電圧、Ｍ２／Ｇ電圧は保持されたままであり、Ｍ５がオンしてＭ１／Ｇ電圧で設定されたＭ１のドレイン電流がＥＬ素子５１に注入され、電流信号ｉ（ｒ）のレベルに応じて発光する。
【００３９】
図８は本実施形態で考慮した課題を説明するために示すシフトレジスタ７の構成例であり、本実施形態のシフトレジスタ７は実際には図２のように構成される。図８中、ＬＫ２ｂは、クロック信号ＬＫ２の極性反転した差動の信号である。図９に、当該行シフトレジスタ７のタイムチャートを示す。
【００４０】
図８の行シフトレジスタ７には、タイミング信号ＬＫ１，クロック信号ＬＫ２及びスタート信号ＬＳが入力され、クロックドインバータ構成のフリップフロップによるレジスタ構成により、順次、制御信号が作成され、さらに画素回路動作に必要なタイミングをゲート回路により作成し、走査信号Ｐ１（ｒ），Ｐ２（ｒ）を各走査線１５に出力する。
【００４１】
図１０に、図４の列シフトレジスタ４の構成例を示す。図中、Ｋｂはクロック信号Ｋの極性反転した差動の信号である。図１１に、当該列シフトレジスタ４のタイムチャートを示す。
【００４２】
図１０の列シフトレジスタ４には、クロック信号Ｋ及びスタート信号ＳＰが入力され、クロックドインバータ構成のフリップフロップによるシフトレジスタ構成により、制御信号が作成され、さらに、画素回路動作に必要なタイミングをゲート回路により作成し、サンプリング信号ｓｐ（ｑ）を各データ線１６に出力する。
【００４３】
図４、図８に示す基本的な構成を採用すると、前記したようなＥＬ表示装置においては、当該装置の電源起動時などに画素回路の動作を制御する走査信号Ｐ１（ｒ），Ｐ２（ｒ）が不安定であった場合、例えば、図５，図７の画素回路１１において、電源起動時にＰ１（ｒ）が「Ｌ」、Ｐ２（ｒ）が「Ｌ」であると、ＥＬ素子５１に電流が供給される状態となる。この時、画素回路１１のＥＬ駆動電流を決定するＭ１のゲート・ソース電圧は、電源起動時においては設定されていないため、不定であり、ＥＬ素子５１に流れる電流を制御できないため、ＥＬ素子５１に過大な電流を供給して破壊してしまう恐れがある。
【００４４】
また、電源を投入している状態で、画像を表示しない待機状態において、図５，図７の回路において容量Ｃ１及びＭ１／Ｇに保持された電圧が、ＥＬ素子５１に電流を供給しないレベルであった場合でも、リーク電流によって長時間経過後にＥＬ素子５１に過大な電流を供給しうるレベルに変化し、ＥＬ素子５１を破壊してしまう恐れがある。
【００４５】
これらの不具合を解消すべく本実施形態では以下のような構成を採用している。
【００４６】
具体的には、電源をオンにしたときに、安定な動作が実現できるように、駆動トランジスタと素子との間の電流経路に流れる駆動電流を抑制するように制御し、かつ、電源をオンにしたときに、駆動トランジスタのゲート電位が、該素子に電流を実質的に流せるようなレベルの入力信号が入力されていない状態と同じ状態に設定されるように構成している。
【００４７】
図１に、本発明のＥＬ表示装置の好ましい一実施形態のブロック図を示す。図中、９はレベル変換回路、１３はスイッチ回路であり、図４と同じ符号は同じ部材を示す。本実施形態においては、画素回路１１として、先に説明した図５或いは図７の回路が用いられている。
【００４８】
本発明においては、外部制御回路１より、スイッチ制御信号ＥＮが行シフトレジスタ７に入力され、該スイッチ制御信号ＥＮの極性に応じて、行シフトレジスタ７より走査線１５に出力される走査信号Ｐ１（ｒ），Ｐ２（ｒ）が制御されることを特徴とする。
【００４９】
具体的には、画素回路１１の動作において、図６のタイムチャートにおけるｔ０〜ｔ２の期間を電流信号ｉ（ｄａｔａ）を保持電圧として保持する第１の期間とし、ｔ２以降、次のｔ０までの期間を、該保持電圧に応じた電流をＥＬ素子５１に供給し、該ＥＬ素子５１を発光させる第２の期間とする。電源起動時や待機状態等の、ＥＬ素子５１の破壊を防止したい期間においては、第１の極性のスイッチ制御信号ＥＮによって、マトリクス配置されている全画素回路１１を第１の期間に強制的に設定して、ＥＬ素子５１への電流の供給を遮断し、通常の表示駆動期間においては、スイッチ制御信号ＥＮを第２の極性にすることにより、従来と同様に、各行の画素回路１１を順次、第１の期間と第２の期間に設定して、電流信号ｉ（ｄａｔａ）の保持、ＥＬ素子５１の発光を行う。
【００５０】
図１の装置は、さらに、スイッチ回路１３を設けた例であり、当該スイッチ回路１３にも上記スイッチ制御信号ＥＮが入力され、該スイッチ制御信号ＥＮの極性に応じて、列制御回路５から画素回路１１への電流信号の転送、遮断を制御する。当該スイッチ回路１３は、例えば、ｎ型ＴＦＴで構成され、ソース（またはドレイン）がデータ線１６の列制御回路５側に接続され、ドレイン（またはソース）がデータ線１５の画素回路１１側に接続され、ゲートにスイッチ制御信号ＥＮが入力されるように構成される。
【００５１】
図２に、図１の行シフトレジスタ７の構成例を示す。図中、ＥＮｂはＥＮの極性反転の差動信号であり、ＥＮを極性反転させることで表示パネル内部で生成している。ＶＤＤは電源である。
【００５２】
図２の回路は、図８に示す構成の回路に、スイッチ制御信号ＥＮで制御されるシフトレジスタリセット用のｐ型ＴＦＴと、スイッチ制御信号ＥＮ、ＥＮｂが入力されるＯＲゲート及びＡＮＤゲートが追加されている。当該構成により、スイッチ制御信号ＥＮが第１の極性、即ち本実施形態においては「Ｌ」の時に、「Ｈ」の走査信号Ｐ１（ｒ）と、「Ｌ」のＰ２（ｒ）が出力される。
【００５３】
図２の回路の動作を、図３のタイムチャートにより説明する。
【００５４】
時刻ｔｓ１を駆動トランジスタなどの各要素を駆動するための電源からの電位の供給を開始した時とする。時刻ｔｓ２が素子を通常の動作のために駆動し始める時である。時刻ｔ０をイネーブル解除時とする。時刻ｔ０以前をイネーブル期間とする。時刻ｔ０以前の期間において、行シフトレジスタ７には、スイッチ制御信号ＥＮ＝Ｌが入力され、全走査線１５に、「Ｈ」の走査信号Ｐ１（ｒ）と、「Ｌ」のＰ２（ｒ）が出力される。よって、当該期間において、全ての画素回路１１において、ＥＬ素子５１に電流を供給するＴＦＴ（図５においてはＭ４、図７においてはＭ５）がオフとなり、ＥＬ素子５１には電流が供給されない。また、Ｐ２（ｒ）が「Ｌ」であるため、Ｍ１はダイオード接続となる。
【００５５】
また、スイッチ回路１３にもスイッチ制御信号ＥＮ＝Ｌが入力され、当該回路を構成するｎ型ＴＦＴがオフとなり、列制御回路５と画素回路１１間の電流が遮断される。そのため、画素回路１１において、Ｍ１のゲート・ソース間電圧が電流出力できる状態であっても、電流供給先が遮断されているため、ドレイン電流は自らのゲートに接続されている容量Ｃ１を充電し、ドレイン電流＝０または０と見なせるほど小さな値になるまでゲート電圧を上昇させる。
【００５６】
これ以降、単に制御信号ＥＮを「Ｈ」として、スイッチ回路１３を列制御回路５から画素回路１１への電流信号転送状態とし、画素回路１１とＥＬ素子５１の電流供給経路をオンにしても、画素回路１１におけるＭ１／Ｇの電圧が電流出力しないレベルまで上昇しているので、ＥＬ素子５１には電流を供給しない。
【００５７】
時刻ｔ０以降、通常の表示駆動期間に入ると、スイッチ制御信号ＥＮは「Ｈ」となり、行シフトレジスタ７においては、図８の行シフトレジスタと同様に動作し、各行の走査線１５に順次、図６のｔ０〜ｔ２の波形が出力される。また、スイッチ回路１３では、ＥＮ＝Ｈの入力によって列制御回路５から出力された電流信号が画素回路１１へ転送される。これにより、図５，図７に示した画素回路１１が、行毎に順次、図６のタイムチャートに従った動作を行い、電流信号ｉ（ｄａｔａ）によるＭ１／Ｇ電圧の設定、電流信号ｉ（ｄａｔａ）のレベルに応じたＥＬ素子５１の発光を行う。
【００５８】
電源をオフにする際には、まず、イネーブル信号ＥＮをローレベルにする。その後、ＬＳ，ＬＫ１，ＬＫ２を停止する。その後、電源からの電位の供給を停止する。なお、ＬＳ，ＬＫ１，ＬＫ２の停止は、イネーブル信号ＥＮをローレベルにする前に行ってもよい。
【００５９】
なお本実施形態では素子に供給する変調信号をスイッチ回路１３で遮断する構成を示したが、このような遮断回路を設けずに、上述の実施形態でスイッチ回路１３で信号を遮断していた期間に、外部から黒レベルもしくは低階調レベルといった低レベルの駆動状態になるような信号を供給する構成も採用することができる。具体的には外部制御回路１から与えているビデオ信号を低レベルにすればよい。なおここでいう低レベルの駆動状態とは、最大の駆動レベル（階調表示をする表示素子であれば最大階調値を実現できる駆動レベル）の半分以下の駆動レベル（０レベルを含む）のことを言う。
【００６０】
なお本実施形態では素子の所望の駆動状態に応じた電流値を有する電流信号を変調信号として供給し、駆動トランジスタのゲート電位を該電流信号に対応する電位に設定する構成を示したが、変調信号を電圧信号、すなわち、素子の所望の駆動状態に応じた電位を有する信号として供給することもできる。電圧信号を駆動トランジスタのゲート電位を設定する信号として供給する構成においても、上述の実施形態で述べたようにスイッチ回路を用いて信号を遮断する構成や、低レベルの駆動状態になるような駆動電流が流れる電位に設定されるような信号を印加する構成の双方を採用できる。ただし電圧信号を駆動トランジスタのゲート電位を設定する信号として供給する構成においては、低レベルの駆動状態になるような駆動電流が流れる電位に設定されるような信号を印加する構成を好適に採用できる。
【００６１】
図１２に本発明に係わる表示装置を用いた記録装置であるデジタルカメラ１２０１の構成を示す。ＣＭＯＳセンサー１２０２は外部から取り込まれる光を受光し、電気信号に変える光センサーである。ＣＭＯＳセンサ１２０２から出力された信号は信号処理回路１２０３で輪郭強調処理などが施される。すぐに表示を行う場合は、信号処理回路１２０３からの信号は一度バッファメモリ１２０４に記録され、その後図１に示す表示装置である表示装置１２０５に出力され、表示装置１２０５によって視覚化される。一方メモリーカードに記録する場合には信号処理回路１２０３からメモリーカード駆動装置１２０６に信号が出力され、挿入されているメモリーカードに信号の記録が行われる。
【００６２】
ここでは本願に係わる表示装置を用いた記録装置の例としてデジタルカメラを示したが、他にもビデオカメラやＰＤＡや携帯電話といった記録装置に本願の表示装置は適用しうる。これらの携帯機器においては、消費電力を節約するために表示装置の電源を頻繁にオンオフする。従ってこれらの携帯機器においては本願発明の駆動装置を用いた表示装置を特に好適に採用できる。
【図面の簡単な説明】
【００６３】
【図１】本発明のＥＬ表示装置の一実施形態のブロック図である。
【図２】図１のＥＬ表示装置の行シフトレジスタの構成例である。
【図３】図２の行シフトレジスタの動作のタイムチャートである。
【図４】ＥＬ表示装置の一例のブロック図である。
【図５】ＥＬ表示装置の画素回路の構成例である。
【図６】図５の画素回路の動作のタイムチャートである。
【図７】ＥＬ表示装置の画素回路の他の構成例である。
【図８】図４のＥＬ表示装置の行シフトレジスタの構成例である。
【図９】図８の行シフトレジスタの動作のタイムチャートである。
【図１０】図４のＥＬ表示装置の列シフトレジスタの構成例である。
【図１１】図１０の列シフトレジスタの動作のタイムチャートである。
【図１２】本願に係わる記録装置であるデジタルカメラの構成を示す図である。
【符号の説明】
【００６４】
１  外部制御回路
２  表示パネル
３，８，９，１２  レベル変換回路
４  列シフトレジスタ
５  列制御回路
６  画像表示部
７  行シフトレジスタ
１０  列駆動回路
１１  画素回路
１３  スイッチ回路
１４  行駆動回路
５１  ＥＬ素子
ＥＮ  スイッチ制御信号
ｉ（ｄａｔａ），ｉ（ｒ）  電流信号
Ｋ，ＬＫ２，ＬＫ２ｂ  クロック信号
ＬＫ１  タイミング信号
ＬＳ，ＳＰ  スタート信号
Ｐ１（ｒ），Ｐ２（ｒ）  走査信号
ｓｐ（ｑ）  走査信号
【図１】
2005189829.tif 000003
【図２】
2005189829.tif 000004
【図３】
2005189829.tif 000005
【図４】
2005189829.tif 000006
【図５】
2005189829.tif 000007
【図６】
2005189829.tif 000008
【図７】
2005189829.tif 000009
【図８】
2005189829.tif 000010
【図９】
2005189829.tif 000011
【図１０】
2005189829.tif 000012
【図１１】
2005189829.tif 000013
【図１２】
2005189829.tif 000014